(57)【要約】【課題】動作中に蓋部を開く動作が開始されても、誤動の発生や情報の消滅等を生じにくい電子装置を提供する。【解決手段】本発明の電子装置（１）は、電池（５）を収納する電池収納部（２）と、該電池収納部（２）を開閉する蓋部（３）とを備える電子装置（１）であって、前記蓋部（３）の開動作の開始を検知する検知部（４）と、該検知部（４）により前記蓋部（３）の開動作の開始が検知されたときに、前記電子装置（１）の状態に関する情報が書き込まれる記憶部（１３）と、をさらに備えることを特徴とする。【選択図】図１
2010040395.tif 000002
【特許請求の範囲】
【請求項１】
電池を収納する電池収納部と、該電池収納部を開閉する蓋部とを備える電子装置であって、
前記蓋部の開動作の開始を検知する検知部と、
該検知部により前記蓋部の開動作の開始が検知されたときに、前記電子装置の状態に関する情報が書き込まれる記憶部と、
をさらに備えることを特徴とする電子装置。
【請求項２】
請求項１に記載の電子装置であって、
前記蓋部の前記開動作が、前記電池との接触が維持された状態で行われる第１の開動作と、該第１の開動作に連続するとともに前記電池との接触が切断された状態で行われる第２の開動作とを含み、
前記第１の開動作が開始されると、前記記憶部への前記情報の書き込みが行われ、該書き込みは前記第２の開動作開始時には完了していること、
を特徴とする電子装置。
【請求項３】
請求項１または２に記載の電子装置であって、
前記蓋部は、前記電子装置の本体に対してスライドするスライド機構を有し、前記第１の開動作がスライド動作であり、
前記蓋部は、前記本体に対して一軸を中心として回転する回転ヒンジ機構を有し、前記第２の開動作が回転動作であること、
を特徴とする電子装置。
【請求項４】
請求項１〜３のいずれか１項に記載の電子装置であって、
前記情報は、前記電子装置において重要度の高いものから書き込まれること、
を特徴とする電子装置。
【請求項５】
請求項１〜４のいずれか１項に記載の電子装置であって、
前記電子装置が、被写体への照明光を発光する閃光装置であり、前記情報が、発光履歴に関する情報を含むこと、
を特徴とする電子装置。
【請求項６】
請求項１〜５のいずれか１項に記載の電子装置であって、
前記情報が、前記電子装置の温度に関する情報を含むこと、
を特徴とする電子装置。
【請求項７】
請求項１〜６のいずれか１項に記載の電子装置であって、
前記情報が、前記電子装置がバージョンアップ中であったことを示す情報を含むこと、
を特徴とする電子装置。
【発明の詳細な説明】
【技術分野】
【０００１】
本発明は、電池収納部とその電池収納部を開閉する蓋部とを備える電子装置に関する。
【背景技術】
【０００２】
従来、撮影時に被写体を照明する閃光装置等の電子装置は、電池により電力が供給されて動作する。これらの電子装置には、その電池を収納する電池収納部と、電池収納部を開閉する蓋部とが備えられている。（例えば、特許文献１参照）。
【特許文献１】特開平８−１４６４９７号公報
【発明の開示】
【発明が解決しようとする課題】
【０００３】
しかし、従来の電子装置においては、動作中に蓋部が開くと、電力供給が急に停止するため誤動作を生じたり、また必要な情報が消滅したりする。本発明の課題は、動作中に蓋部を開く動作が開始されても、誤動の発生や情報の消滅等を生じにくい電子装置を提供することである。
【課題を解決するための手段】
【０００４】
本発明は、以下のような解決手段により前記課題を解決する。なお、理解を容易にするために、本発明の実施形態に対応する符号を付して説明するが、これに限定されるものではない。
【０００５】
請求項１に記載の発明は、電池（５）を収納する電池収納部（２）と、該電池収納部（２）を開閉する蓋部（３）とを備える電子装置（１）であって、前記蓋部（３）の開動作の開始を検知する検知部（４）と、該検知部（４）により前記蓋部（３）の開動作の開始が検知されたときに、前記電子装置（１）の状態に関する情報が書き込まれる記憶部（１３）と、をさらに備えることを特徴とする電子装置（１）である。
請求項２に記載の発明は、請求項１に記載の電子装置（１）であって、前記蓋部（３）の前記開動作が、前記電池（５）との接触が維持された状態で行われる第１の開動作と、該第１の開動作に連続するとともに前記電池（５）との接触が切断された状態で行われる第２の開動作とを含み、前記第１の開動作が開始されると、前記記憶部（１３）への前記情報の書き込みが行われ、該書き込みは前記第２の開動作開始時には完了していること、を特徴とする電子装置（１）である。
請求項３に記載の発明は、請求項１または２に記載の電子装置（１）であって、前記蓋部（３）は、前記電子装置（１）の本体に対してスライドするスライド機構を有し、前記第１の開動作がスライド動作であり、前記蓋部（３）は、前記本体に対して一軸を中心として回転する回転ヒンジ機構を有し、前記第２の開動作が回転動作であること、を特徴とする電子装置（１）である。
請求項４に記載の発明は、請求項１〜３のいずれか１項に記載の電子装置（１）であって、前記情報は、前記電子装置（１）において重要度の高いものから書き込まれること、を特徴とする電子装置（１）である。
請求項５に記載の発明は、請求項１〜４のいずれか１項に記載の電子装置（１）であって、前記電子装置（１）が、被写体への照明光を発光する閃光装置であり、前記情報が、発光履歴に関する情報を含むこと、を特徴とする電子装置（１）である。
請求項６に記載の発明は、請求項１〜５のいずれか１項に記載の電子装置（１）であって、前記情報が、前記電子装置（１）の温度に関する情報を含むこと、を特徴とする電子装置（１）である。
請求項７に記載の発明は、請求項１〜６のいずれか１項に記載の電子装置（１）であって、前記情報が、前記電子装置（１）がバージョンアップ中であったことを示す情報を含むこと、を特徴とする電子装置（１）である。
なお、符号を付して説明した構成は、適宜改良してもよく、また、少なくとも一部を他の構成物に代替してもよい。
【発明の効果】
【０００６】
本発明によれば、動作中に蓋部を開く動作が開始されても、誤動の発生や情報の消滅等を生じにくい電子装置を提供することができる。
【発明を実施するための最良の形態】
【０００７】
以下、図面等を参照して、本発明の実施形態について説明する。なお、以下に示す各図には、説明と理解を容易にするために、適宜ＸＹＺ直交座標系を設けた。図１〜図３は本発明の実施形態の電子装置１の斜視図である。電子装置１としては、例えばカメラに装着される閃光装置等が例として挙げられるが、これに限定されるものではない。電子装置１は、閃光装置以外に、カメラ本体や携帯電話等であってもよい。
【０００８】
図示するように、電子装置１は、電池を収納する電池収納部２と、電池収納部２の開口部６を開閉する蓋部３と、蓋部３の開動作の開始を検知する検知部４と、を備える。図１は蓋部３が電池収納部２の開口部６を閉じている状態を示した図である。図２は蓋部３が開口部６に対して図中Ｘプラス方向にスライドした状態を示した図である。図３は蓋部３が開口部６に対して回転して開いた状態を示した図である。
【０００９】
電池収納部２は、電子装置１の本体１ａに設けられた略直方体状の凹部で、その内部に本実施形態では４本の乾電池５が収納可能になっている。図３において最もわかりやすく示すように、電池収納部２の開口部６における長手方向の一辺（図中Ｚマイナス側の一辺）は、矩形に切り欠かれており、その切り欠き部６ａの対向する側部にはそれぞれ孔が設けられ、その孔に両端を挿入して回転軸７が架け渡されている。また、開口部６の長手方向の他辺（図中Ｚプラス側の一辺）も一部切り欠かかれ、後述する蓋部３の爪部３５を開放する開放孔８が形成されている。また、電池収納部２の内面には、開放孔８からＸマイナス側に向かって溝部８ａが延びている。この溝部８ａは、図１に示すように、開放孔８と異なり、Ｙプラス方向には開口していない。
【００１０】
蓋部３は、図１に示す閉じた状態で電子装置１の本体１ａと一体的な形状を成すように一部湾曲した概略矩形の外形を有する外蓋３１と、その外蓋３１の内側に配置された図３に示す内蓋３２とを有する。
【００１１】
内蓋３２は、略矩形の板状部材であり、その長手方向側部（図１及び図２においてＺ方向マイナス側、図３においてＹ方向マイナス側）における略中央部は、一定の幅で外側に延在しており、その延在部３３には上述の回転軸７が挿通されている。この回転軸７を中心とした回転ヒンジ機構により、内蓋３２は電子装置１の開口部６に対して回転となっている。また、内蓋３２は、回転軸７に取り付けられたバネ部材（図示せず）により開く方向に付勢されている。さらに、内蓋３２の内面には、２枚の金属板３７が貼着され、内蓋３２が閉じたときに、乾電池５の電極５ａと接するようになっている。
【００１２】
外蓋３１は、内蓋３２に対して、スライド機構（図示せず）により、スライド可能に取り付けられている。また、外蓋３１における内蓋３２の延在部３３が設けられている側と反対側（図１及び図２においてＺ方向プラス側、図３においてＹ方向プラス側）の側部には、爪部３５が設けられている。
【００１３】
この爪部３５は、図１に示す状態では、溝部８ａ内に保持されている。蓋部３の外蓋３１がＸプラス方向にスライドされると、爪部３５も溝部８ａ内をスライドし、図２に示すように爪部３５が開放孔８の位置に来ると、内蓋３２のバネによる付勢により蓋部３が図３に示す開いた状態になる。
【００１４】
また、外蓋３１における上述の爪部３５が設けられている側と同じ側のＸプラス側には、後述する検知部４と接触する突起部３６が設けられている。一方、検知部４は、電子装置１の本体１ａの内部における上側（図中Ｙ方向プラス側）に配置されている。検知部４は、検知部本体４ａと、検知部本体４ａから突き出した、上述の突起部３６の接触を検知する接触部４ｂとを備える。
【００１５】
図４は電子装置１のブロック図である。電子装置１は、電子装置１のオン・オフ操作を行う電源スイッチ１０、上述の電池収納部２及び検知部４、及びそれらを統括制御するＣＰＵ１１を備える。さらに電子装置１は、一時的な情報を記憶するが電源を切るとデータが失われる、例えばＲＡＭ（Ｒａｎｄｏｍ  Ａｃｃｅｓｓ  Ｍｅｍｏｒｙ）である第１記憶部１２と、電源を切ってもデータが失われない、例えばＲＯＭ（Ｒｅａｄ  Ｏｎｌｙ  Ｍｅｍｏｒｙ）である第２記憶部１３と、を備える。
【００１６】
次に、本実施形態の電子装置１の動作について説明する。図５は電子装置１の動作を示すフローチャートである。図１に示す状態で爪部３５は、溝部８ａ内に保持されているため、開方向に付勢されていても蓋部３は閉じ、電子装置１において乾電池５の電極５ａは金属板３７と接触している（Ｓ１）。この状態で、電源スイッチ１０がＯＮの場合（Ｓ２）、電子装置１に電力が供給され、電子装置１では各種動作が可能である。この各種動作としては、例えば、バージョンアップ動作や、また、電子装置１が閃光装置の場合は、閃光、ズーム、バウンス等が挙げられる。
【００１７】
各種動作が行われている際に、誤操作や落下等により蓋部３が開かれる場合、まず、電子装置１において電力供給が維持されている状態で、外蓋３１がＸ方向にスライドする（Ｓ３）。このスライドにより、図２に示すように突起部３６が検出部４の接触部４ｂに接触する。検知部４はＣＰＵ１１にこの接触を通知する（Ｓ４）。
【００１８】
この通知により、ＣＰＵ１１は、例えば、バージョンアップが行われている場合、バージョンアップ動作を区切りのよいところで停止し、どの様なバージョンアップが行われ、どの位置でバージョンアップが停止したかという情報の第２記憶部１３への書き込みを開始する（Ｓ４）。
【００１９】
閃光、ズーム、バウンス等が行われた場合、通常、閃光回数、ズーム回数、バウンス回数、閃光時間、発光量等の情報は、第１記憶部１２に一時的に書き込まれ、動作が行われる度に第１記憶部１２のデータは更新される。そして、通常の終了操作により電源スイッチがＯＦＦにされると、第１記憶部１２に書き込まれている情報は、最終的な情報として第２記憶部１２に書き込まれる。本実施形態においては、通常の電源スイッチのＯＦＦ動作のみならず、検知部４が蓋部３の開動作を検知したときも、閃光回数、ズーム回数、バウンス回数、閃光時間、発光量等の耐久性に関する第１記憶部１２に記憶されている情報の、第２記憶部１３への書き込みが開始される（Ｓ４）。
【００２０】
これらの書き込みは、予め定められた優先順位に従って行われる。例えば、バージョンアップに関する情報と、耐久性に関する情報については、バージョンアップに関する情報の書き込みが先に行われる。それは、バージョンアップが行われていた場合は、誤った情報が書き込まれると電子装置１自体の故障の原因となるからである。そして、バージョンアップに関する情報の第２記憶部１３への書き込みが終了した後、まだ検知部４の接触部４ｂと突起部３６とが接触状態で電力供給が停止していない場合、耐久性に関する情報の第２記憶部１３への書き込みが行われる。
【００２１】
書き込みが終了し（Ｓ５）、蓋部３の外蓋３１のＸプラス方向への移動に伴い、爪部３５が溝部８ａ内をスライドし、図２に示すように爪部３５が開放孔８の位置に来ると、外蓋３１の爪部３５の溝部８ａの係合が外れる（Ｓ７）。そして内蓋３２のバネによる付勢により蓋部３が回転し、図３に示す蓋部３が開いた状態となり（Ｓ８）、乾電池５の電極部５ａと金属板３７との接触が絶たれ（Ｓ９）、電力供給が停止される。
【００２２】
以上、本実施形態によると、以下の効果がある。
（１）バージョンアップを行っている場合に、従来のように、電池収納部の蓋部が急に開けられたときに、電力供給が急に停止すると、誤った書き込みが行われる可能性がある。そして、この誤った書き込み等により、電子装置１が故障する可能性もある。
しかし、本実施形態では、蓋部３が開いて電力供給が停止する前に、検知部４が、突起部３６の接触より蓋部３が開動作に入ったことを検知する。したがって、区切りの良いところでバージョンアップにおけるデータ授受を停止することができ、誤った情報が書き込まれることがない。また、どのようなバージョンアップが行われていたのか、どこまで書き込みが行われているのかといった情報が第２記憶部１３に書き込まれる。このため、再度電力が供給されると、そこからバージョンアップをすることができる。再度バージョンアップを最初から行う必要がなく、作業時間を短縮することができる。
【００２３】
なお、バージョンアップを途中から行うことができない場合は、全てのバージョンアップ情報を消去して、バージョンアップが行われなかったことを示す情報を記憶して、再度電力が供給されたときに、バージョンアップが行われなかったことを示すような警告を出すようにしてもよい。
【００２４】
（２）従来、電池収納部２の蓋部３が急に開けられて電力供給が急に停止すると、閃光回数、ズーム回数、バウンス回数、閃光時間、発光量等の耐久性に関する第１記憶部１２に書き込まれている情報は、第２記憶部１３に書き込まれることなく、消滅していた。
しかし、本実施形態によると、蓋部３が開く前に、接触部と突起部３６との接触より蓋部３が開動作に入ったことを検知したときに、閃光回数、ズーム回数、バウンス回数、閃光時間、発光量等の耐久性に関する最新情報が第１記憶部１２から第２記憶部１３に移し換えられる。したがって、最新の情報を第２記憶部１３に記憶することができ、耐久性に関する正確な情報を保持しておくことができる。
【００２５】
（３）第２記憶部１３に記憶すべき情報が複数ある場合、優先度の高いものから第２記憶部１３に書き込まれる。したがって、重要な情報の書き込みが確実に行われる。
【００２６】
（その他の書き込み情報）
例えば、書き込まれる情報としては、上述のバージョンアップに関する情報や耐久性に関する情報の他に、電子装置１が閃光装置である場合、以下のような情報も挙げられる。
【００２７】
（１）フレネルレンズの発光からの経過時間に関する情報
閃光装置１に設けられているフレネルレンズは、発光により加熱する。フレネルレンズは、高温になると変形するので、変形防止のためにフレネルレンズの温度をモニタリングしている閃光装置１がある。フレネルレンズの温度は直接測定することが困難であるため、このような閃光装置１では、電力が供給されている場合、タイマ回路（図示せず）によって発光からの経過時間を計時してフレネルレンズの温度を推定している。そして、電力供給が停止された場合は、別途設けられたＲＣ回路（図示せず）の放電量により電力供給が停止したときからの経過時間を推定している。
【００２８】
タイマ回路による経過時間の計時は、リアルタイムに行なわれているのではなく、一定のインターバルで行われ、計時された経過時間は第２記憶部１３に書き込まれる。従来、電力供給が急に停止すると、第２記憶部１３には前回測定された時間ｔ１が書き込まれた状態で、停止時の経過時間ｔ２によって更新されることなくタイマ回路の計時は停止される。そして、電力供給が急に停止したときからＲＣ回路の放電量による計時が開始され、電力供給が再開された時点におけるＲＣ回路で計時された経過時間をｔ３とすると、経過時間ｔ１に、ｔ３合わせた時間でフレネルレンズの温度低下量が推定されていた。すなわち、ｔ２−ｔ１の空白時間が存在していた。
【００２９】
しかし、検知部４により蓋部３が開動作に入ったことが検知された時間ｔ１’からＲＣ回路が計時を行うと共にその時間ｔ１’を第２記憶部１３に書き込むようにすれば、計測されない空白の時間を生じない。このようにすれば、閃光装置１の閃光からの経過時間を正確に把握することができるので、フレネルレンズのより正確な温度を推定することができる。
【００３０】
なお、計時時間ではなく、検知部４により蓋部３が開動作に入ったことが検知されたときのフレネルレンズの推定温度を第２記憶部１３に記憶し、ＲＣ回路ではその温度が推定された時点からの経過時間を求め、再度電力供給が行われたときに、ＲＣ回路で測定された経過時間より、その推定温度からの温度低下分を求め、現在の温度を推定するようにしてもよい。
【００３１】
（２）ズームポジションに関する情報
閃光装置１の発光部（図示せず）にＣＰＵ１１からズーム移動中命令が出されると、発光部は移動する。従来、移動途中で蓋部３が開いて電源供給が停止されると、発光部は途中で停止するが、どこで停止したかという情報は記憶されていない。このため、再度電力が供給されたとき、発光部の現在停止している位置及びどのような移動命令が発せられたかが不明のため、発光部は初期位置に戻るようになっている。
【００３２】
しかし、電力供給が絶たれる前に、所定位置までの移動命令が出されたことと、現在の発光部の位置を第２記憶部１３に書き込むようにすれば、電力供給が供給された際に、現在の位置から命令された所定位置まで移動すればよいので、移動時間が短縮される。
【００３３】
（３）その他
上記の情報の他に、比較的長いインターバルで、第２記憶部１３に書き込まれる情報は、電力供給が急に停止したときに前回の書き込みから時間が経過していると、古い情報しか保有しないことになる。したがって、このような、比較的長いインターバルで第２記憶部１３に記憶されるものは、検知部４が外蓋３１のスライドを検知したときに、最新情報を第２記憶部１３に書き込む。また、比較的短いインターバルで第２記憶部１３に記憶しているものは、電源供給が急に停止しても直前のデータが第２記憶部１３に記録されているので影響は少ない。したがって、誤ったデータを書き込まないためにすぐに書き込みを停止するようにしてもよい。
【００３４】
（４）書き込みの優先順位
実施形態に記載したように、電子装置１の状態に関する情報は、優先順位に従って書き込まれる。実施形態で説明したバージョンアップ情報及び耐久性に関する情報に加え、上述のフレネルレンズの発光からの時間に関する情報やズームポジションに関する情報を書き込む場合は、１）バージョンアップ情報、２）耐久性に関する情報、３）フレネルレンズの発光からの経過時間に関する情報、４）ズームポジションに関する情報の順番で書き込まれることが好ましい。
【００３５】
バージョンアップに関する情報の優先順位が一番高いのは、バージョンアップ中に電力供給が急に停止した場合、電子装置１自体が故障する可能性が高いからである。また、耐久性に関する情報の優先順位が二番目に高いのは、より正確な情報を記憶することが好ましいからである。一方、フレネルレンズの発光から経過時間に関する情報の優先順位が三番目なのは、この情報は正確に把握することが好ましいが、バージョンアップに関する情報や耐久性に関する情報に比べると電子装置１への影響は小さいと考えられるからである。また、ズームポジションに関する情報の優先順位が四番目なのは、ズームポジションは、多少時間がかかるが初期値に戻せば、電子装置１自体の故障につながることはないからである。
【００３６】
（変形形態）
以上、説明した実施形態に限定されることなく、以下に示すような種々の変形や変更が可能であり、それらも本発明の範囲内である。
（１）上述の実施形態では、蓋部が電子装置の本体に対して直線的にスライドした後、ヒンジ機構により開く形態について説明したが、本発明はこれに限定されない。電池との接触が維持された状態で行われる第１の開動作と、第１の開動作に連続するとともに電池との接触が切断された状態で行われる第２の開動作とを含む動作であればよい。例えば、蓋部が本体に対して接触を維持したまま回転し、その後本体から離れることにより、蓋部が開くような構成であってもよい。
（２）実施形態ではバージョンアップ情報、耐久性に関する情報、フレネルレンズの発光からの時間に関する情報、ズームポジションに関する情報の順で優先順位を付けたが、これに限定されず、他の順序であってもよく、また優先順位を使用者が設定できるようにしてもよい。
【図面の簡単な説明】
【００３７】
【図１】本発明の実施形態の電子装置の斜視図であり、蓋部が電池収納部の開口部を閉じている状態を示す。
【図２】本発明の実施形態の電子装置の斜視図であり、蓋部が開口部に対してスライドした状態を示す。
【図３】本発明の実施形態の電子装置の斜視図であり、蓋部が開口部に対して回転して開いた状態を示す。
【図４】電子装置のブロック図である。
【図５】電子装置の動作を示すフローチャートである。
【符号の説明】
【００３８】
１：電子装置、２：電池収納部、３：蓋部、４：検知部、５：乾電池、６：開口部、１３：第２記憶部、３１：外蓋、３２：内蓋
【図１】
2010040395.tif 000003
【図２】
2010040395.tif 000004
【図３】
2010040395.tif 000005
【図４】
2010040395.tif 000006
【図５】
2010040395.tif 000007